(57)【要約】【課題】各段板の上面に降り当った雨水等をすみやかに段板の奥部から落下させて支持桁で下方へ流下させ、段板の上面に雨水が滞留したり、この雨水が氷結することによる昇降者の滑りを防止する。また、支持桁を、段板の支持構造桁としての機能と雨水排水機能を兼用させる。【解決手段】各段板３を支持桁２で支持する階段において、前記各段板３の上面３ａを、その段板３の奥部側が下降するように傾斜させて、その段板上の雨水等が奥部側から落下するようにし、前記支持桁２を、前記各段板３から落下した雨水等を受けて下方へ流す樋状に形成する。【選択図】図１
2008127935.tif 000002
【特許請求の範囲】
【請求項１】
各段板を支持桁で支持する階段において、前記各段板の上面を、その段板の奥部側が下降するように傾斜させて、その段板上の雨水等が奥部側から落下するようにし、前記支持桁を、前記各段板から落下した雨水等を受けて下方へ流す樋状に形成したことを特徴とする階段。
【請求項２】
前記各段板の上面に、該上面の雨水等を、段板の奥部側の中央部へ導く導水手段を形成したことを特徴とする請求項１記載の階段。
【請求項３】
前記導水手段を、段板の上面の左右側部に位置して前後方向に設けた側部導水溝と、該側部導水溝に連通するとともに段板の奥部に位置して左右方向に設けた奥部導水溝と、前記奥部導水溝に連通して奥部端側が開口する排水口とで形成したことを特徴とする請求項２記載の階段。
【請求項４】
前記導水手段を、段板の上面の左右側部に位置して前後方向に設けた側部導水壁と、該側部導水壁に連設するとともに段板の奥部に位置して左右方向に設けた奥部導水壁と、奥部の左右方向の中央部に位置して前記奥部導水壁をなくして設けた排水口とで形成したことを特徴とする請求項２記載の階段。
【請求項５】
各段板を支持桁で支持する階段において、前記支持桁を樋状に形成し、該樋状の支持桁の両側壁間に各段板を介在して固設し、かつ、各段板の上面を、その段板の奥部側が下降するように傾斜させたことを特徴とする階段。
【発明の詳細な説明】
【技術分野】
【０００１】
本発明は建物に付設される階段に関するもので、より詳しくは、雨水等が降り当る屋外に付設される雨水対策を施した屋外階段に関するものである。
【背景技術】
【０００２】
従来、建物の屋外に付設される屋外階段においては、図１１に示すように、両側に支持桁１０１を傾斜して配置し、該両支持桁間に段板（踏板）１０２を架設するとともに、該段板１０２を複数、支持桁１０１の長手方向（上下方向）に適宜間隔を有して配置したものが一般的である。
【０００３】
そして、このような階段における段板１０２として、従来、図１１に示すように、その段板１０２の上面１０３を水平に形成するとともに、その段板１０２の奥部において、上面１０３上の雨水が段板１０２の奥部から床面１０５上に落下して床面１０５を汚さないように、上面（踏面）１０３より上方へ突出した立上り部１０４を形成している。
【発明の開示】
【発明が解決しようとする課題】
【０００４】
ところで、屋外階段においては、屋根がない場合には、雨水が前記段板１０２上に直接降り当り、また屋根があっても強い風雨によって雨水が段板１０２上に降り当る。このように雨水が段板１０２上に降り当ると、図１１の矢印Ｅで示すように、上段の段板１０２上の雨水が前端より下段の段板１０２上に流れ落ちて、その下段上の雨量が増し、これを繰り返して多量の雨水が滝のように階段を流れ落ちる現象が生じる。
【０００５】
すなわち、各段板１０２の上面１０３が水平に形成され、かつ、奥部に立上り部１０４が形成されていることから、その段板１０２上の雨水が前方へ流れやすく、更に、その前方へ流れて落下した雨水が下段の段板１０２上の雨水を前方へ押し流すように作用するからである。
【０００６】
前記のように、段板１０２の上面１０３上において多量の雨水が流れると、階段を昇降する人の足が滑るおそれがある。
【０００７】
また、段板１０２が水平であることから、段板１０２上に雨水の滞留が生じやすく、そのため、冬期においては、段板１０２上に氷結が生じやすく、足が滑りやすくなる。また、このように、雨水が滞留すると、階段全体の耐久性も低下する問題もある。
【０００８】
そこで、本発明は、前記の課題を解決する階段を提供することを目的とするものである。
【課題を解決するための手段】
【０００９】
本発明は前記の課題を解決するために、請求項１記載の発明は、各段板を支持桁で支持する階段において、前記各段板の上面を、その段板の奥部側が下降するように傾斜させて、その段板上の雨水等が奥部側から落下するようにし、前記支持桁を、前記各段板から落下した雨水等を受けて下方へ流す樋状に形成したことを特徴とするものである。
【００１０】
請求項２記載の発明は、請求項１記載の発明において、前記各段板の上面に、該上面の雨水等を、段板の奥部側の中央部へ導く導水手段を形成したことを特徴とするものである。
【００１１】
請求項３記載の発明は、請求項２記載の発明において、前記導水手段を、段板の上面の左右側部に位置して前後方向に設けた側部導水溝と、該側部導水溝に連通するとともに段板の奥部に位置して左右方向に設けた奥部導水溝と、前記奥部導水溝に連通して奥部端側が開口する排水口とで形成したことを特徴とするものである。
【００１２】
請求項４記載の発明は、請求項２記載の発明において、前記導水手段を、段板の上面の左右側部に位置して前後方向に設けた側部導水壁と、該側部導水壁に連設するとともに段板の奥部に位置して左右方向に設けた奥部導水壁と、奥部の左右方向の中央部に位置して前記奥部導水壁をなくして設けた排水口とで形成したことを特徴とするものである。
【００１３】
請求項５記載の発明は、各段板を支持桁で支持する階段において、前記支持桁を樋状に形成し、該樋状の支持桁の両側壁間に各段板を介在して固設し、かつ、各段板の上面を、その段板の奥部側が下降するように傾斜させたことを特徴とするものである。
【発明の効果】
【００１４】
本発明によれば、各段板上に降り当った雨水等を各段板の奥部から支持桁内へすみやかに落下させて排出できるため、段板上に多量の雨水等が溜まって昇降者が滑ることを抑制できる。更に、段板の上面に雨水等が溜まることを抑制できるため、冬期において段板上面での氷結を抑制し、昇降者の滑りを抑制できる。
【００１５】
更に、各段板の上面を、奥部側が下降する傾斜面に形成したことにより、昇降者の昇降時において安全性を図ることができる。
【００１６】
更に、支持桁が、各段板を支持する構造桁としての機能と、雨水等を排水する排水機能を兼用するため、簡易な構造で両機能を有する階段を提供できる。
【００１７】
更に、段板上での雨水等の滞留も少なくなり、階段全体の耐久性の向上を図ることができる。
【００１８】
更に、請求項２乃至４のように導水手段を設けることにより、段板の側部から雨水等が落下することを防止することができる。
【発明を実施するための最良の形態】
【００１９】
本発明を実施するための最良の形態を図１乃至図１０に示す実施例に基づいて説明する。
【実施例１】
【００２０】
図１乃至図４は本発明の実施例１を示す。
図１は本発明の階段を示す側面図、図２は図１におけるＸ−Ｘ線断面図、図３は１枚の段板を示す側断面図である。
【００２１】
本発明の階段１は、支持桁２と複数の段板（踏板）３とから構成されている。
支持桁２は、段板３の支持機能と段板３から奥部へ落下する雨水を受けて下方へ流す樋機能を兼用する。
【００２２】
図１乃至図４に示す実施例１の支持桁２は、図２に示すように、横断面（図１のＸ−Ｘ断面）がＶ字状（三角状断面）に形成され、このＶ字状断面で、下階床面４と上階床板５との間に亘る長さに形成されている。
【００２３】
すなわち、支持桁２は、図２に示すように、2枚の長尺な板２ａ、２ｂを、その短尺方向の一端２ｃ、２ｄ側を相互に接合し、他端２ｅ、２ｆ側を相互に所定の距離Ｌ１分隣間して、底部が閉塞され、上部が開口した樋状に形成され、内部に排水路２ｇを形成している。また、前記排水路２ｇは、図１において、その上端部２ｈと下端部２ｉが開口されている。
【００２４】
そして、前記の支持桁２を、図１に示すように、下階床面４と上階床板５との間に、所定の傾斜角θで傾斜して架設されている。
【００２５】
各段板３は、前記のように傾斜した支持桁２の両板２ａ、２ｂを左右方向に貫通して両板２ａ、２ｂに支持されており、その支持構造は、図１に示すように、各段板３の略奥半部を、両板２ａ、２ｂの略前半部に形成した嵌合溝２ｋに嵌合固着して支持するようになっている。また、各段板３，３の上下方向の間は、前後方向に貫通する空間になっている。
【００２６】
また、各段板３は、その左右方向（図４においてＡ−Ｂ方向）の中心Ｏ（図２参照）が両板２ａ、２ｂ間の中心Ｏと略合致するように配置されている。
【００２７】
また、各段板３、すなわち各段板３の上面（踏面）３ａは、図３に示すように、前後方向（図４においてＣ−Ｄ方向）において、その奥部（Ｄ方向側）が水平面に対して下方へ傾斜するように配置されており、その傾斜角αは約１〜２°（勾配として２／１００〜４／１００）に設定されている。この傾斜角αにより、通常の長さの段板３では、奥端（Ｄ側端）に対して前端（Ｃ側端）が約５〜１０ｍｍの寸法分上昇し、上面３ａが前上り、換言すれば奥下りの段板となっている。
【００２８】
前記段板３には、その上面（踏面）３ａに降った雨水や雪（雨水等という）を段板３の奥部（後部）へ導き、前記支持桁２内へ落下させる導水手段１０を有する。
【００２９】
この導水手段１０について図３及び図４により詳述する。
段板３の上面３ａにおける左右側部に位置して、上部が開口した側部導水溝１１が前後方向に形成されており、その前側端１１ａは閉塞されて該側部導水溝１１内の雨水等が段板３の前端側へ流出しないようになっている。また、該段板３の上面３ａにおける奥部側には、上部が開口した奥部導水溝１２が左右方向に形成されており、その左右端は、段板３の左右端面に開口することなく前記左右の側部導水溝１１に連通している。更に、該奥部導水溝１２の左右方向の中央部には、奥部導水溝１２に連通するとともに奥部端側が開口した排水口１３が形成されており、奥部導水溝１２内の雨水等を排水口１３から排出するようになっている。この排水口１３の左右方向の距離Ｌ２は、前記支持桁２の両板２ａ、２ｂの上端相互の距離Ｌ１と同等かそれより短く設定されており、該排水口１３より排出された雨水等が前記支持桁２内の排水路２ｇに落下するようになっている。
【００３０】
前記の各溝１１、１２及び排水口１３により導水手段１０を構成している。
前記支持桁２と各段板３の材質は、鉄やステンレス等の鋼製でも、コンクリートやＧＰＣ等でもよく、更に木材でもよい。また、コンクリートで形成する場合は、支持桁と段板３を工場で一体成形してもよい。
【００３１】
次に前記実施例１の雨水等の排水作用について説明する。
図１に示すように架設された階段１において、各段板３の上面に降った雨水等は、各段板３が奥下りに傾斜しているため矢印Ｆのように、自然に奥側へ流れて奥部導水溝１２に入り、排水口１３から樋状の支持桁２内の排水路２ｇ内に落下する。また、降水量が多く、雨水が段板３の上面において側方へ流れた場合には、その雨水が左右の側部導水溝１１に入り、この側部導水溝１１から奥部導水溝１２を通じて前記のように排水口１３より落下する。そのため、雨水等が段板３の両側から落下することを防止できる。そして、各段板３の奥部から落下した雨水等は支持桁２内で集水されて流下し、その下端部２ｉの開口部より地面等に排出される。なお、前記下端部２ｉが建物の床面に位置する場合には、その下端部２ｉの開口部を、他の樋に連通して排水してもよい。
【００３２】
以上のようであるから、次のような効果を発揮する。
前記のように、各段板３上の雨水が、その奥部より支持桁２内へ排出されるため、前記従来のように、上段の段板１０２上の雨水がその段板１０２の前端から下段の段板１０２上に落下して雨水が滝のように階段を流れ落ちることがなく、昇降する人の足が雨水で滑ることを抑制することができる。
【００３３】
更に、各段板３上の降った雨水等をすみやかに奥部より排出できるため、その段板３上に溜まった雨水や、氷結による滑りも抑制できる。
【００３４】
更に、各段板３の上面３ａが奥下りの傾斜に形成されているため、人の昇降時において昇降の安全性を図ることができる。
【００３５】
更に、各段板３の奥部から落下した雨水等を、支持桁２内を落下させて排出させるため、各段板３から雨水が直接床面に落下して床面を汚すこともない。
【００３６】
更に、段板３上での雨水等の滞留も少なくなり、階段全体の耐久性も向上する。
更に、支持桁２が、段板３を支持する構造桁としての機能と、階段１での雨水の排水機能と、上階床板５上の雨水を排水する排水機能（ドレイン）を兼用でき、簡易な構造で上記の各機能を発揮できる階段として有効なものである。
【実施例２】
【００３７】
図５は前記実施例１における段板３の変形例、すなわち導水手段１０の変形例を示す。
該実施例２の段板３Ａは、該段板３Ａの上面３ａの左右側に位置して、上面３ａより立上げた側部導水壁２１を前後方向に形成し、更に、奥部側に位置して、上面３ａより立上げた奥部導水壁２２を左右方向に形成したものである。
【００３８】
更に、前記奥部導水壁２２、２２は、その左右方向の外側が前記側部導水壁２１、２１と連設し、内側が相互に離間して、両奥部導水壁２２、２２間に、奥部導水壁２２がない排水口１３が形成されている。また、この排水口１３の左右方向の距離Ｌ２は前記実施例と同寸法である。
【００３９】
前記壁２１、２２及び排水口１３により導水手段１０を構成している。
その他の構造は前記実施例１と同様であり、この段板３Ａも前記の支持桁２に前記と同様に、奥下りに傾斜して備えられる。
【００４０】
本実施例２においては、段板３Ａの上面３ａに降った雨水等は、側部導水壁２１及び奥部導水壁２２に誘導されて排水口１３より支持桁２内に落下し、前記実施例１と同様の効果を発揮する。
【実施例３】
【００４１】
図６は前記実施例１における段板３の他の変形例、すなわち、導水手段１０の他の変形例を示す。
【００４２】
該実施例３の段板３Ｂは、該段板３Ｂの上面３ａに、前記実施例１の段板３における両側部導水溝１１、１１と奥部導水溝１２、１２を形成するとともに、これらの溝１１、１２の外側部に前記実施例２の段板３Ａにおける側部導水壁２１と奥部導水壁２２を形成したものである。更に、前記と同様の排水口１３が形成されている。
【００４３】
その他の構造は前記実施例１と同様であり、この段板３Ｂも前記の支持桁２に前記と同様に、上面３ａを奥下りに傾斜させて備えられる。
【００４４】
本実施例３においては、段板３Ｂの上面３ａに降った雨水等は、側部導水溝１１及び奥部導水溝１２内に入るが、雨水量が多く、雨水が両溝１１、１２より溢れた場合には、その雨水が両壁２１、２２でせき止められる。したがって、雨量が多い場合にも、その雨水を、段板３Ｂの両側から落下させることなく排水口１３へ誘導して支持桁２内へ落下させることができ、前記実施例１と同様の効果を発揮する。
【実施例４】
【００４５】
図７は前記実施例１における支持桁２の変形例を示す。
本実施例４は、前記実施例１における支持桁２の横断面形状を、略半円、半楕円のＵ字状に形成し、底部を閉塞するとともに上部を開口してその両端２ｅ、２ｆを相互に所定の距離Ｌ１分隣間した支持桁２Ａとしたものである。
【００４６】
その他の構造は前記実施例１と同様であり、この支持桁２Ａに、前記実施例１における段板３が前記と同様に備えられる。
【００４７】
なお、本実施例４の支持桁２Ａに前記実施例２及び３の段板３Ａ、３Ｂを備えるようにしてもよい。
【００４８】
本実施例４においても、前記各実施例と同様の作用、効果を発揮することができる。
【実施例５】
【００４９】
図８及び図９は前記実施例１における支持桁２と段板３の変形例を示す。
本実施例５は、図８に示すように支持桁２の横断面形状を、底部に水平方向の底板２ｍを設け、その底板２ｍの左右方向の両側に側壁２ｎを垂直状態に立上げて、上方が開口する凹状断面（上壁がない四角断面）の支持桁２Ｂに形成したものである。
【００５０】
また、この実施例５における段板３Ｃは、図９に示すように、上面３ａが平滑なものを使用している。そして、この段板３Ｃを前記実施例１のように前後方向に対して奥下りに傾斜させて、図８に示すように、前記支持桁２Ｂにおける両側壁２ｎ、２ｎ間に介在した状態で、架設固定されている。
【００５１】
この実施例５においては、各段板３Ｃの後端縁全長が支持桁２Ｂの両側壁２ｎ、２ｎ間に収まっているため、段板３Ｃの上面に降った雨水が後端縁全長において排出されても、その雨水が支持桁２Ｂ内に落下する。そのため、本実施例５の段板３Ｃの上面には、前記各実施例のような導水溝１１、１２や導水壁２１、２２や排水口１３を設けていない。
【００５２】
その他の構造は前記実施例と同様である。
本実施例５においても前記と同様の効果を発揮することができる。
【実施例６】
【００５３】
図１０は、各段板が前板（け込み板）で連結された、いわゆるイナズマ階段に本発明を適用した例を示す。
【００５４】
すなわち、前記図４に示す構造の側部導水溝１１、奥部導水溝１２及び排水口１３を形成した段板３を用い、この上段の段板３の前端と下段の段板３の奥端を前板３０で一体に連結して階段部３１を形成したものである。
【００５５】
そして、この階段部３１を前記図２に示す横断面がＶ状の支持桁２や、前記図７に示す横断面がＵ字状の支持桁２Ａや、前記図８に示す横断面が凹状の支持桁２Ｂで支持する。
【００５６】
また、階段部３１の各段板３の上面３ａは、階段部３１が支持桁に固定された設置状態において、前記のように奥下りの傾斜面になるように形成されている。
【００５７】
本実施例６においても、各段板３の上面３ａに降った雨水等が前記と同様に各段板３の奥部の排水口１３から支持桁内に落下し、前記実施例と同様な効果を発揮することができる。
【００５８】
なお、本実施例６においても、その段板として、前記図５、図６、図９に示す段板３Ａ〜３Ｃを用いてもよい。
【図面の簡単な説明】
【００５９】
【図１】本発明の実施例１を示す階段の側面図。
【図２】図１におけるＸ−Ｘ線拡大断面図。
【図３】図１に使用した段板の拡大側面図。
【図４】図３の段板の斜視図。
【図５】本発明の実施例２の段板を示す斜視図。
【図６】本発明の実施例３の段板を示す斜視図。
【図７】本発明の実施例４の支持桁を示すもので、図１のＸ−Ｘ線断面に相当する断面図。
【図８】本発明の実施例５の支持桁を示すもので、図１のＸ−Ｘ線断面に相当する断面図。
【図９】図８の実施例５に使用する段板を示す斜視図。
【図１０】本発明の実施例６の階段部を示す斜視図。
【図１１】従来の階段を示す側面図。
【符号の説明】
【００６０】
１  階段
２、２Ａ、２Ｂ  支持桁
３、３Ａ、３Ｂ  段板
３ａ  上面
１０  導水手段
１１  側部導水溝
１２  奥部導水溝
１３  排水口
２１  側部導水壁
２２  奥部導水壁
【図１】
2008127935.tif 000003
【図２】
2008127935.tif 000004
【図３】
2008127935.tif 000005
【図４】
2008127935.tif 000006
【図５】
2008127935.tif 000007
【図６】
2008127935.tif 000008
【図７】
2008127935.tif 000009
【図８】
2008127935.tif 000010
【図９】
2008127935.tif 000011
【図１０】
2008127935.tif 000012
【図１１】
2008127935.tif 000013